(57)【要約】【課題】撮影時に生じる画像の破綻や乱れを予測可能として、撮影時の雰囲気を正しく再現した写真を撮影することのできるカメラを提供することである。【解決手段】補助光発光部２７より被写体３０に照明光を照射し、該被写体３０の像が撮像素子１４により撮像される。また、撮影に先立って、上記補助光発光部２７を第１のモードで発光させた時の撮像素子１４の出力と、補助光発光部２７を発光させなかった時の撮像素子１４の出力とに基づいて、撮影に際して、上記補助光発光部２７を第２のモードで発光させた時に得られる被写体３０の画像を、画像処理部１７及び表示制御部２０にて合成して予測する。【選択図】      図１
2008028938.tif 000002
【特許請求の範囲】
【請求項１】
被写体を照射する照明光用の光源と、
上記被写体の像を撮像する撮像手段と、
撮影に先立って、上記光源を第１のモードで発光させた時の上記撮像手段の出力と、上記光源を発光させなかった時の上記撮像手段の出力とに基づいて、上記撮影に際して、上記光源を第２のモードで発光した時に得られる上記被写体の画像を合成して予測する合成表示手段と、
を具備することを特徴とするカメラ。
【請求項２】
上記光源は、上記第１のモードで消費する単位時間のエネルギーは小さく、上記第２のモードで消費する単位時間あたりのエネルギーは比較的大きいことを特徴とする請求項１に記載のカメラ。
【請求項３】
撮影に先立つタイミングで、被写体をモニタする第１の撮像素子と、
上記撮影に先立つタイミングで補助光照射する第１の光源と、
撮影時に被写体像を取得する第２の撮像素子と、
上記撮影時に補助光照射する第２の光源と、
上記第１の撮像素子の出力を表示する表示手段と、
上記第１の撮像素子と第２の撮像素子の特性の差異と、上記第１の光源と第２の光源の特性の差異に従って、上記表示手段の表示画像に加工を加える表示制御手段と、
を具備することを特徴とするカメラ。
【請求項４】
被写体に補助光を照射するもので、第１の発光モードと該第１の発光モードと異なる第２の発光モードを有する補助光用の光源と、
上記被写体の像を撮像する撮像手段と、
撮影に先立って、上記光源を上記第１の発光モードで発光させた時の上記撮像手段の第１の出力と、上記光源を発光させない時の上記撮像手段の第２の出力とに基づいて、上記撮影に際して上記光源を上記第２の発光モードで発光した時に得られる上記被写体の画像を予測する予測手段と、
上記予測手段で予測された上記被写体の画像を合成処理する画像処理手段と、
上記画像処理手段で合成処理された上記被写体の画像を表示する表示手段と、
を具備することを特徴とするカメラ。
【請求項５】
上記撮像手段の第１の出力から得られる画像と、上記画像処理手段で合成処理された画像を同時に上記表示手段に表示させる表示制御手段を更に具備することを特徴とする請求項４に記載のカメラ。
【請求項６】
上記光源は、上記第１の発光モードで消費する単位時間のエネルギーは、上記第２の発光モードで消費する単位時間あたりのエネルギーよりも小さいことを特徴とする請求項４に記載のカメラ。
【請求項７】
上記光源は上記第１の発光モードを有する発光ダイオードと、上記第２の発光モードを有する閃光発光管で構成されることを特徴とする請求項６に記載のカメラ。
【請求項８】
撮影に先立つタイミングで被写体に対して第１の補助光を照射する第１の光源と、
上記撮影に先立つタイミングで上記被写体を撮像する第１の撮像素子と、
撮影時に上記第１の補助光とは異なる第２の補助光を上記被写体に対して照射する第２の光源と、
上記撮影時に上記被写体像を撮像する第２の撮像素子と、
上記第１の撮像素子により得られた被写体の画像を表示する表示手段と、
上記第１の撮像素子により得られた被写体の画像の特性と上記第２の撮像素子により得られた被写体の画像の特性との差異と、上記第１の光源と第２の光源との特性の差異と、に基づいて、上記表示手段に表示される画像の輝度を調整する表示制御手段と、
を具備することを特徴とするカメラ。
【請求項９】
上記第１の光源は、上記第２の光源よりも消費する単位時間のエネルギーが小さいことを特徴とする請求項８に記載のカメラ。
【請求項１０】
上記第１の光源と第２の光源は同一の光源であり、上記第１の光源が第２の光源よりも発光量が小さいことを特徴とする請求項９に記載のカメラ。
【請求項１１】
上記第１の光源は発光ダイオードで構成され、上記第２の光源は閃光発光管で構成されることを特徴とする請求項９に記載のカメラ。
【請求項１２】
上記表示制御手段は、上記第１の撮像素子により得られた被写体の画像の特性と、上記第２の撮像素子により得られた被写体の画像の特性との差異に基づいて、上記表示手段に表示される画像の輝度を算出する算出手段を有し、該算出手段で算出された輝度の画像を表示手段に表示させることを特徴とする請求項８に記載のカメラ。
【請求項１３】
上記表示制御手段は、上記第１の撮像素子により得られた被写体の画像と、上記輝度が調整された画像とを、同時に上記表示手段に表示させることを特徴とする請求項１２に記載のカメラ。
【発明の詳細な説明】
【技術分野】
【０００１】
本発明は、撮影時に補助光を照射して画像記録するカメラに関するものである。
【背景技術】
【０００２】
これまでの写真撮影法では、フラッシュ撮影などと称され、被写体が暗い場合には、撮影のタイミングのみ、キセノン(Ｘｅ)管等のストロボ光で被写体を照射する撮影方法がとられていた。フィルムを使用したカメラでは、現像やプリントアウトしてからでなければ結果が分からなかったために、それほどこの撮影方法には違和感がなかった。しかしながら、近年、デジタル化が進展し、即時に撮影結果がカメラ背面等に設けられた液晶などで確認可能となったために、撮影時だけに発光することによる問題点（例えば、思いがけぬ反射や光量過多、不足による雰囲気の変化等）や、目視との差異が気になるユーザが増えてきている。
【０００３】
そこで、下記特許文献１のように、常時、ＬＥＤ等を照射して撮影する方法が提案されている。
【特許文献１】特開２００４−２４２１２３号公報
【発明の開示】
【発明が解決しようとする課題】
【０００４】
しかしながら、上記特許文献１による撮影方法では、エネルギーがいたずらに消費されてしまい、すぐに電池の容量がなくなってしまうという問題を有していた。
【０００５】
本発明は上記実情に鑑みてなされたものであり、その目的は、デジタルカメラならではの画像処理機能を有効利用して、撮影時に生じる画像の破綻や乱れを予測可能として、撮影時の雰囲気を正しく再現した写真を撮影することのできるカメラを提供するものである。
【課題を解決するための手段】
【０００６】
すなわち請求項１に記載の発明は、被写体を照射する照明光用の光源と、上記被写体の像を撮像する撮像手段と、撮影に先立って、上記光源を第１のモードで発光させた時の上記撮像手段の出力と、上記光源を発光させなかった時の上記撮像手段の出力とに基づいて、上記撮影に際して、上記光源を第２のモードで発光した時に得られる上記被写体の画像を合成して予測する合成表示手段と、を具備することを特徴とする。
【０００７】
請求項２に記載の発明は、請求項１に記載の発明に於いて、上記光源は、上記第１のモードで消費する単位時間のエネルギーは小さく、上記第２のモードで消費する単位時間あたりのエネルギーは比較的大きいことを特徴とする。
【０００８】
請求項３に記載の発明は、撮影に先立つタイミングで、被写体をモニタする第１の撮像素子と、上記撮影に先立つタイミングで補助光照射する第１の光源と、撮影時に被写体像を取得する第２の撮像素子と、上記撮影時に補助光照射する第２の光源と、上記第１の撮像素子の出力を表示する表示手段と、上記第１の撮像素子と第２の撮像素子の特性の差異と、上記第１の光源と第２の光源の特性の差異に従って、上記表示手段の表示画像に加工を加える表示制御手段と、を具備することを特徴とする。
【０００９】
請求項４に記載の発明は、被写体に補助光を照射するもので、第１の発光モードと該第１の発光モードと異なる第２の発光モードを有する補助光用の光源と、上記被写体の像を撮像する撮像手段と、撮影に先立って、上記光源を上記第１の発光モードで発光させた時の上記撮像手段の第１の出力と、上記光源を発光させない時の上記撮像手段の第２の出力とに基づいて、上記撮影に際して上記光源を上記第２の発光モードで発光した時に得られる上記被写体の画像を予測する予測手段と、上記予測手段で予測された上記被写体の画像を合成処理する画像処理手段と、上記画像処理手段で合成処理された上記被写体の画像を表示する表示手段と、を具備することを特徴とする。
【００１０】
請求項５に記載の発明は、請求項４に記載の発明に於いて、上記撮像手段の第１の出力から得られる画像と、上記画像処理手段で合成処理された画像を同時に上記表示手段に表示させる表示制御手段を更に具備することを特徴とする。
【００１１】
請求項６に記載の発明は、請求項４に記載の発明に於いて、上記光源は、上記第１の発光モードで消費する単位時間のエネルギーは、上記第２の発光モードで消費する単位時間あたりのエネルギーよりも小さいことを特徴とする。
【００１２】
請求項７に記載の発明は、請求項６に記載の発明に於いて、上記光源は上記第１の発光モードを有する発光ダイオードと、上記第２の発光モードを有する閃光発光管で構成されることを特徴とする。
【００１３】
請求項８に記載の発明は、撮影に先立つタイミングで被写体に対して第１の補助光を照射する第１の光源と、上記撮影に先立つタイミングで上記被写体を撮像する第１の撮像素子と、撮影時に上記第１の補助光とは異なる第２の補助光を上記被写体に対して照射する第２の光源と、上記撮影時に上記被写体像を撮像する第２の撮像素子と、上記第１の撮像素子により得られた被写体の画像を表示する表示手段と、上記第１の撮像素子により得られた被写体の画像の特性と上記第２の撮像素子により得られた被写体の画像の特性との差異と、上記第１の光源と第２の光源との特性の差異と、に基づいて、上記表示手段に表示される画像の輝度を調整する表示制御手段と、を具備することを特徴とする。
【００１４】
請求項９に記載の発明は、請求項８に記載の発明に於いて、上記第１の光源は、上記第２の光源よりも消費する単位時間のエネルギーが小さいことを特徴とする。
【００１５】
請求項１０に記載の発明は、請求項９に記載の発明に於いて、上記第１の光源と第２の光源は同一の光源であり、上記第１の光源が第２の光源よりも発光量が小さいことを特徴とする。
【００１６】
請求項１１に記載の発明は、請求項９に記載の発明に於いて、上記第１の光源は発光ダイオードで構成され、上記第２の光源は閃光発光管で構成されることを特徴とする。
【００１７】
請求項１２に記載の発明は、請求項８に記載の発明に於いて、上記表示制御手段は、上記第１の撮像素子により得られた被写体の画像の特性と、上記第２の撮像素子により得られた被写体の画像の特性との差異に基づいて、上記表示手段に表示される画像の輝度を算出する算出手段を有し、該算出手段で算出された輝度の画像を表示手段に表示させることを特徴とする。
【００１８】
請求項１３に記載の発明は、請求項１２に記載の発明に於いて、上記表示制御手段は、上記第１の撮像素子により得られた被写体の画像と、上記輝度が調整された画像とを、同時に上記表示手段に表示させることを特徴とする。
【発明の効果】
【００１９】
本発明によれば、デジタルカメラならではの画像処理機能を有効利用して、撮影時に生じる画像の破綻や乱れを予測可能として、撮影時の雰囲気を正しく再現した写真を撮影することのできるカメラを提供することができる。
【発明を実施するための最良の形態】
【００２０】
以下、図面を参照して、本発明の実施形態を説明する。
【００２１】
図１は、本発明の一実施形態に係るデジタルカメラの基本構成を示したブロック図である。このデジタルカメラ（以下、カメラと略記する）は、メインＣＰＵ（以下、ＭＰＵと記す）１０と、ズーム制御部１１と、ズームレンズ（撮影レンズ）１３と、撮像素子１４と、アナログフロントエンド部（ＡＦＥ）１５と、画像処理部１７と、画像判定部１８と、表示制御部２０と、表示部２１と、圧縮部２３と、記録制御部２４と、記録メディア２５と、出力部２６と、補助光発光部２７と、複数のスイッチ２８ａ、２８ｂ、２８ｃとを有して構成される。
【００２２】
算出手段、予測手段としての機能を有するＭＰＵ１０はマイクロコントローラ等から構成されるもので、ユーザによる各種の操作をスイッチ２８ａ、２８ｂ、２８ｃの状態によって検出する。ＭＰＵ１０は、上記スイッチ２８ａ、２８ｂ、２８ｃの検出結果と所定のプログラムに従って、撮影時に上述した各ブロックをシーケンシャルに制御する。これらのスイッチ２８ａ、２８ｂ、２８ｃの操作に従って、撮影／再生のモード切り替えや撮影モードの切り替え等も行えるようになっている。また、ズーミングの操作も、このように構成されたスイッチをユーザが操作することを、ＭＰＵ１０が検知して実行する。このズーム制御用の釦（図示せず）等も備えておき、ズームレンズ１３をズーム制御部１１で制御し、レンズでの被写体拡大ができない場合には、撮像素子１４の中から像を取り出すエリアを、ＭＰＵ１０が限定する制御をＡＦＥ１５に実行させて、部分画像を全画像として表示、記録することでズームの延長とする。
【００２３】
また、このＭＰＵ１０と、画像処理部１７と、画像判定部１８と、表示制御部２０とは、後述するように画像を合成して予測する合成表示手段を構成している。
【００２４】
尚、スイッチ２８ａ〜２８ｃは、電源のオン、オフを行う電源スイッチ（２８ａ）や、レリーズ操作を行うためのレリーズスイッチ（２８ｂ）、撮影と再生やその他のスイッチ（２８ｃ）の機能を有しており、ユーザの操作を入力するものである。
【００２５】
被写体３０からの像は、ズームレンズ１３を介して多数の受光面（画素）から成るＣＭＯＳセンサやＣＣＤ等で構成される撮像素子１４で受光される。撮像素子１４では、これが電気的な信号に変換される。そして、この結果がＡ／Ｄ変換部を含むＡＦＥ１５にてデジタル信号化され、更に画像処理部１７に入力される。
【００２６】
また、ＡＦＥ１５は、撮像素子１４の出力する信号を取捨選択する機能を有しており、全部の受光面から限られた範囲の画像データや、間引かれた画素データのみを抽出することができる。この制御によって、所定の領域のみの画像を記録すれば、いわゆるトリミングと同様の効果を出すことができる。画面に入ってくる全てのものを、必ずしも撮影したくない場合には、このような工夫が有効である。
【００２７】
また、撮像素子１４は、無数の画素から構成されるが、幾つかの同色の画素信号を加算して利用することによって、Ｓ／Ｎを改善することが可能である。このような出力加算処理も、ＡＦＥ１５にて可能である。
【００２８】
画像処理部１７は、入力信号の色や階調やシャープネスを補正処理し、撮影時には、後段の圧縮部２３にて圧縮記録を行う。また、画像処理部１７の信号を利用して、撮像素子１４から入力されてくる画像の特徴等を判定する画像判定部１８等が、このシステムには含まれている。後述するが、補助的な光を照射した方が良いシーン等を判定して、しかるべき制御を行う場合等にこの機能の出力を参照する。画像処理部１７から出力された信号は、圧縮部２３によって圧縮される。圧縮部２３内には、ＪＰＥＧコア部等の静止画像用圧縮部２３ａ（図１には圧縮Ｓと示される）、またはＭＰＥＧ４やＨ．２６４等の圧縮用コア部で構成される動画用圧縮部２３ｂ（図１には圧縮Ｍと示される）を有している。
【００２９】
この圧縮部２３で圧縮された画像信号は、記録制御部２４を介して記録メディア２５に記録される。そして、ここで記録されたデータは、出力部２６によって、図示されないパーソナルコンピュータ等を介して、ホームページやブログ等のサービスにアップロード可能である。こうした用途を前提にした画像は、撮影時から、それに相応しい撮影方法をとっておき、掲載時に所定の効果が得られるような工夫をしておく。そして、記録メディア２５に記録された圧縮データは、画像処理部１７によって伸張されて再生されるが、この結果は表示制御部２０を介して表示部２１にて鑑賞することが可能になっている。また、この表示部２１は液晶や有機ＥＬ等から成るもので、カメラのファインダの機能を兼用している。
【００３０】
上記画像処理部１７はリサイズ回路１７ａを有している。このリサイズ回路１７ａは、表示制御部２０によって制御される表示部２１に、撮像素子１４からの信号を表示できるようなサイズに加工してリアルタイムに入力する。更に、所定の領域の画像のみを利用する場合に、枠表示をスーパーインポーズ式にできるように、表示制御部２０内には枠表示部２０ａを有している。これは、ユーザが適宜、微調整できるようにしてもよい。
【００３１】
補助光発光部２７では、撮影状況に応じて、被写体３０に光を照射して、明るさの不足や、不均一な明るさを防止するようにしている。これは、図２に示されるように、カメラ３５内の撮影レンズ１３と同じサイドに配置されたＬＥＤ１１を想定しており、撮影範囲θに対して、より広い範囲に光を照射するような構成となっている。このＬＥＤ１１は、１つのチップでは発光量が不足するので、複数のチップで構成され、効率的な照射が行われるような配光が得られるような透明パッケージ内に収納されている。
【００３２】
例えば、図３（ａ）に示されるようなシーンに於いて、背景４０と人物４１の輝度差が大きい場合、図３（ｂ）に示されるようにストロボ光（閃光発光管による光）を照射しても人物４２にしか届かないような場合を考える。単純に人物が適正な明るさになるような自動制御では、そのシーンの雰囲気を適切に表現することができない。例えば、図３（ａ）のシーンに於いて、人物のみ適正な明るさにしようとした場合は、図４（ａ）に示されるように、人物４１は正しく照明されても背景４０の露出がオーバとなってしまい、真っ白になってしまうような現象となる。或いは、図４（ｂ）に示されるように、ストロボによる発光光量が少なくて、人物４１の明るさが不足してしまうような現象となる。
【００３３】
ここで、図４（ａ）のようにならないようにするには、シャッタスピードを速くすればよく、図４（ｂ）のようにならないようにするには、シャッタスピードを遅くしたり発光光量を多くするようにする。また、図３（ｂ）に示されるようなシーンに於いて、奥行きのある背景の雰囲気を出すためには、シャッタスピードを遅くしたり感度を向上させる制御を行えば良い。
【００３４】
このような加減を、撮影前に予め分かるようにするのが、本発明の目的である。
【００３５】
図５のタイミングチャートを参照して説明する。
【００３６】
高速の撮像素子を利用して繰り返し被写体の撮像を行い、例えばそのうちの奇数回目の撮像ではＬＥＤ光を照射せず、偶数回目の撮像ではＬＥＤ光を照射して、これらの撮像結果の差異から撮影時の効果を予測する。単に、表示を行う時にＬＥＤ照射するのではないのは、撮影時と同じ条件でＬＥＤ投射を行っていたら、上述したように、消費エネルギーが莫大なものとなってしまうからである。
【００３７】
つまり、撮影前の画像表示時の撮像は、撮影時のＬＥＤ照射の光量より、図６（ｂ）に示されるように抑えてある。このような光量で照射すれば、図７に示されるように、ＬＥＤによる照射が全く無い場合の像Ｉｍ１よりも、人物は明るくなる（Ｉｍ２）。したがって、これより強い所定の光量で撮影を行えば、Ｉｍ２−Ｉｍ１の値（差）の所定の割合で明るい像が得られる（Ｉｍ３）ことが予測できる。つまり、Ｉｍ２−Ｉｍ１で表される差分が、ＬＥＤによって明るくなった値を示しているので、この値（輝度値）を基にしてＩｍ３を求めるわけである。そして、ＬＥＤならば、このような高速の発光制御や、発光量の切り替えを自由に制御することができる。
【００３８】
この時の人物画像のイメージが、図６に示される。補助光の発光なしの画像４５は、図６（ａ）に示されるようなものとなる。しかしながら、モニタ時に補助光の発光を伴えば、図６（ｂ）に示されるような画像４５となり、更にその時の明るさ（輝度）の変化を強調して表示すれば、図６（ｃ）に示されるような画像４５が得られる。この画像は、ノイズ部も強調してしまうので最終的な画像にするには相応しくないが、カメラのモニタ（表示部）上に於いて、人物と背景とのバランス等をチェックするには十分なものとなる。したがって、図５（ｃ）のタイミングで液晶等の表示部２１に画像を表示すれば、随時、構図が変化しても、それに追従して、補助光発光の効果が分かる。
【００３９】
このように、高速で画像を読出しながら、所定タイミングでＬＥＤ光を照射して、所定タイミングでは照射をせず、その差異から補助光照射の結果を予測した表示を繰り返すので、リアルタイムで照明状況を把握しながら撮影を行うことが可能となる。
【００４０】
図８は、このようなリアルタイムで照明状況を把握しながら撮影を行うことが可能なカメラの動作を説明するためのフローチャートである。尚、このフローチャートによる処理動作は、主にＭＰＵ１０の指令に従って行われる。
【００４１】
電源スイッチ２８ａがオンされることにより本ルーチンが開始され、先ず、ステップＳ１に於いてユーザによる撮影の操作が行われたか否かが判定される。ここで、撮影の操作が行われた場合はステップＳ２へ移行し、そうでない場合はステップＳ７へ移行する。
【００４２】
ステップＳ２では、補助光発光を伴う撮影か伴わない撮影かが判定される。ここで、補助光発光が行われる場合は、ステップＳ３に移行してパルス投光を伴う撮影が行われる。これは、液晶でのモニタ時に比べると大きな光量で瞬間的に発光して終了し、発熱を抑えて破壊を予防するものである。一方、補助光の発光が無いならば、ステップＳ４に移行して、シャッタスピードや絞り、感度等を最適化させた制御での撮影が行われる。
【００４３】
次いで、ステップＳ５にて寝撮影された画像が圧縮され、続くステップＳ６にて記録メディア２５に記録される。その後、上記ステップＳ１に移行して、以降の処理動作が繰り返される。
【００４４】
一方、上記ステップＳ１にて撮影の操作が行われていないと判定された場合は、ステップＳ７に於いて、再生モードであるか否かが判定される。ここで、図示されないモードスイッチ等が使用されてユーザにより再生モードに設定されている場合は、ステップＳ８に移行して再生表示が行われる。これは、撮影結果からユーザによって選択されたものが液晶等の表示パネル（表示部２１）に再生表示される。更に、ステップＳ９に於いて、転送したい画像があるか否かが判定される。その結果、転送する画像がある場合は、スイッチ２８ｃ等によって当該画像が指定されれば、ステップＳ１０に移行して、出力部２６を介して、外部の図示されないパーソナルコンピュータ等に画像転送される。
【００４５】
また、上記ステップＳ９にて転送画像がない場合、及びステップＳ１０にて画像転送した後は、上記ステップＳ７に移行する。
【００４６】
上記ステップＳ７にて、再生モードでないと判定された場合は、次にステップＳ１１に於いて電源スイッチ２８ａの状態が判定される。ここで、電源スイッチ２８がオフの場合は、電源をオフにする制御が行われる。一方、それ以外の場合は、ステップＳ１２に移行して、補助光の有無が判定される。
【００４７】
これは、撮像素子１４からの信号をリアルタイムで液晶パネルに再生表示する。ユーザはこの表示を見ながら、撮影時の構図やタイミングを決定するが、この時、被写体が明るければ補助光無しとなり、被写体が暗い場合は補助光有りとなる。したがって、補助光無しの場合は、ステップＳ２０に移行して、そのまま撮像素子１４の出力を表示部２１でモニタできるようにすれば良い。
【００４８】
一方、被写体が暗い場合は、ユーザにより補助光照射が選択され、ステップＳ１３へ移行する。そして、ステップＳ１３及びＳ１４にて、ＬＥＤ発光無しの画像と発光有りの画像が取得される。次いで、ステップＳ１５にて、これらの結果から上述した撮影時に像が照らされて強調される様子が予測され、画像処理にて効果が視覚的に表示部２１に表示される。
【００４９】
この結果は、図９に示されるように、同時に画面４７に表示（マルチ表示）して、発光なし画像４７ａと画像処理画像４７ｂとを比較して、補助光の効果を確認できるようにしてもよい。この場合、ステップＳ１６於いてマルチ画面表示の有無が判定される。その結果、マルチ画面表示である場合は、ステップＳ１７に移行して、上述したような２つの画像が画面４７に表示されるマルチ画面表示がなされる。一方、上記ステップＳ１６にて、マルチ画面表示なしの場合は、ステップＳ１８に移行してマルチ画面表示が解除されて、通常の１画面１画像の表示がなされる。
【００５０】
その後、ステップＳ１９にて、シャッタスピード、絞り、感度等の撮影パラメータが設定されると、上記ステップＳ１に移行して、以降の処理動作が繰り返される。
【００５１】
また、マニュアル操作で、シャッタスピードや絞りや感度を切り替えられるカメラであれば、この設定に従って、ステップＳ１５に於ける効果表示時の画像処理が切り替えられて、操作結果の確認を容易にすることができる。
【００５２】
例えば、撮影当初よりも感度を上げた場合には、図９に示されるように、ＬＥＤによる補助光効果なし時の画像４７ａと補助光効果あり時の画像４７ｂの画像比較によってその効果が分かる。但し、これは、背景も人物も像信号の強さが増幅されるので、図１０に示されるように、人物と背景である木の両者が同時に明るくなる制御である。そして、例えば、当初の２倍の感度にすると、信号レベルは２倍になる。図１０に於いて、Ｉｍ４はＩｍ５の２倍の振幅である。この場合、背景も同じであり、２倍の信号レベルになる。
【００５３】
また、撮影当初よりもレンズの絞りを開いた場合には、図１１に示される画面４８の左側の画像４８ａに対して、右側のような画像４８ｂとなる。これは、感度上昇と違って、取り込まれる像の光量は多くなるが、焦点深度が浅くなるので、背景はコントラストが下がる。この時の像の信号レベルは図１２に示されるようになる。この場合、人物は図１０と同じであり、背景の明るさは上がる（△Ｉｍ６として表示）が、コントラストは低下する。このように、マルチ画面表示とすることで、主被写体（人物）と風景（背景）との描写のバランスを、画面４８を見比べながら判断することができる。
【００５４】
更に、撮影当初よりもシャッタスピードを速くした場合には、図１３に示される画面４９の左側の画像４９ａに対して、右側のような画像４９ｂになる。この場合は、補助光のパルス光量は変わらないのに背景からの自然光は少なくなるので、△Ｉｍ７だけ小さくなるため、背景は暗く描写される。
【００５５】
このように、モニタ時の露光時間や補助光発光量に従って、実際に撮影するときの像信号を論理的に予測して表示するので、本実施形態によれば、正しく撮影時の画像を認識しながら撮影を楽しむことができるので、クリエイティブな描写の撮影が楽しめる。
【００５６】
更に、上述したように、モニタ時には補助光発光の光量は撮影時より下げているので、消費電流を抑えることができる。
【００５７】
また、上述した実施形態の変形例として、ＬＥＤの発光量を切り替えるのではなく、ＬＥＤの光量とストロボ光量の差異を制御可能であれば、図１５に示されるように、構成してもよい。この場合、モニタ時発光用のＬＥＤ２７ａと、撮影時発光用のストロボ２７ｂの２つの光源を有し、これらの光源を使い分けたカメラ３５ａとして構成している。尚、ここでは、概念的に表わしているので、投射方向の差異が近距離にて無視できないような配置となっているが、光源を近接させれば、暗い場合でも被写体３０を視認することができ、且つ、撮影時の効果まで判断することができるという、本発明特有のモニタ効果を得ることができる。
【００５８】
また、本発明の他の実施形態として、例えば、一眼レフレックスカメラ（以下、単に一眼レフカメラと略記する）のように、撮影用の撮像素子への光路と、ファインダ用の光路が分けられているカメラにも応用することができる。
【００５９】
図１６は、このような一眼レフカメラの概略構成を示したブロック図である。
【００６０】
図１６に於いて、被写体３０の像は、撮影レンズ１３を介してメインの撮像素子１４ａ（撮影時に画像を記録メディア２５に記録するためのセンサ）に入射し、ここで取り込まれた像が記録部５６に記録される。この時、反射ミラー５１は、図示されないが撮影光路外に退避する。反射ミラー５１が図示のような状態では、反射された被写体像は、ペンタプリズム５２を介して接眼レンズ系５３に導かれ、ユーザにより目視可能となっている。
【００６１】
このような構成にする理由は、撮像素子１４ａが大型、且つ高画素であり、高速な読み出しができないからである。メインの撮像素子１４ａ以外に、ペンタプリズム５２内で結像した画像をモニタするサブの撮像素子１４ｂを利用すれば、撮影前に画像モニタが可能となる。この表示部５５用の撮像素子１４ｂに高速のものを利用すれば、本発明のような撮影効果やプレビュー可能な一眼レフカメラを提供することが可能となる。つまり、２つの撮像素子の特性の差異や、モニタ時と撮影時の発光の差異を考慮して、表示画像を加工し、ユーザは撮影時の効果を撮影前にリアルタイムで目視可能となる。
【００６２】
つまり、本実施形態では、撮影前の発光と撮影時の発光の差、撮影前の撮像素子及び光学系と、撮影後の撮像素子及び光学系の差異を考慮して、表示画像を強調等、加工して表示制御するので、非常に高画質で、レンズ交換可能なカメラでありながら、露出の効果をモニタ上で確認し、十分予測、把握した撮影が可能となる。
【００６３】
以上説明したように、本発明によれば、撮影時にストロボ等を発光させることによって生ずる画像の破綻を対策し、撮影者の思いを反映した、雰囲気豊かな写真をきれいに撮影することができるカメラを提供することが可能となる。
【００６４】
以上、本発明の実施形態について説明したが、本発明は上述した実施形態に限定されるものではなく、本発明の要旨を逸脱しない範囲で種々の変形実施が可能であるのは勿論である。
【００６５】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６６】
【図１】本発明の一実施形態に係るデジタルカメラの基本構成を示したブロック図である。
【図２】カメラの撮影範囲と補助光発光部２７による補助光照射範囲の例を示した図である。
【図３】被写体としての人物と背景の輝度差について説明する図である。
【図４】図３（ａ）のシーンに於ける露出の例を示したもので、（ａ）は背景が露出オーバの状態を示した図、（ｂ）は露出不足の状態を示した図である。
【図５】撮像素子とＬＥＤとモニタ表示の動作タイミングを説明するためのタイミングチャートである。
【図６】人物画像に対して補助光発光の有無について説明するための図である。
【図７】人物部と背景部との信号レベルについて説明する図である。
【図８】本発明の一実施形態に於けるカメラの動作を説明するためのフローチャートである。
【図９】補助光無し画像と補助光により画像処理を施した画像とをマルチ画面にて表示した例を示した図である。
【図１０】人物部と背景部との信号レベルについて説明する図である。
【図１１】補助光無し画像と補助光により画像処理を施した画像とをマルチ画面にて表示した例を示した図である。
【図１２】人物部と背景部との信号レベルについて説明する図である。
【図１３】補助光無し画像と補助光により画像処理を施した画像とをマルチ画面にて表示した例を示した図である。
【図１４】人物部と背景部との信号レベルについて説明する図である。
【図１５】本発明の一実施形態の変形例としてのカメラの補助光照射範囲の例を示した図である。
【図１６】本発明の他の実施形態としての一眼レフカメラの概略構成を示したブロック図である。
【符号の説明】
【００６７】
１０…メインＣＰＵ（ＭＰＵ）、１１…ズーム制御部、１３…ズームレンズ（撮影レンズ）、１４…撮像素子、１５…アナログフロントエンド部（ＡＦＥ）、１７…画像処理部、１７ａ…リサイズ回路、１８…画像判定部、２０…表示制御部、２０ａ…枠表示部、２１…表示部、２３…圧縮部、２３ａ…静止画像用圧縮部（圧縮Ｓ）、２３ｂ…動画用圧縮部（圧縮Ｍ）、２４…記録制御部、２５…記録メディア、２７…補助光発光部、２６…出力部、２８ａ、２８ｂ、２８ｃ…複数のスイッチ、３０…被写体、３５…カメラ。
【図１】
2008028938.tif 000003
【図２】
2008028938.tif 000004
【図３】
2008028938.tif 000005
【図４】
2008028938.tif 000006
【図５】
2008028938.tif 000007
【図６】
2008028938.tif 000008
【図７】
2008028938.tif 000009
【図８】
2008028938.tif 000010
【図９】
2008028938.tif 000011
【図１０】
2008028938.tif 000012
【図１１】
2008028938.tif 000013
【図１２】
2008028938.tif 000014
【図１３】
2008028938.tif 000015
【図１４】
2008028938.tif 000016
【図１５】
2008028938.tif 000017
【図１６】
2008028938.tif 000018